(57)【要約】  【課題】  帯をクリップで留めた場合のクリップによる背中への圧迫および帯の生地の損傷を軽減する。  【解決手段】  第１挟持片２１、第２挟持片２２および連結部２３を含み、自然状態で第１挟持片２１、第２挟持片２２および連結部２３が略同じ平面内に位置するクリップ２０と、第１および第２挟持片２１、２２に挟まれた第１および第２シート片３１、３２を含む保護シート３０とを備える保護シート付きクリップ１０を準備する。帯の垂れが帯の手に対して垂直になるよう帯を折り畳んで折り畳み部を形成し、折り畳み部の一部分を第１および第２シート片３１、３２の間に挟んで保護シート付きクリップ１０で留める。帯の垂れで帯結びを形成し、保護シート付きクリップ１０を帯の折り畳み部の前記部分に残存させたままで、帯結びの形成された帯を着物の着用者に装着する。【選択図】  図１
2017193800.tif 000002
【特許請求の範囲】
【請求項１】
着物の帯を装着する方法であって、
第１挟持片、第２挟持片並びに前記第１および第２挟持片の一端どうしを連結する弾性変形可能な連結部を含み、自然状態で前記第１挟持片、前記第２挟持片および前記連結部が略同じ平面内に位置するクリップと、前記第１および第２挟持片に挟まれた第１および第２シート片を含む保護シートとを備える保護シート付きクリップを準備し、
帯の垂れが帯の手に対して垂直になるよう帯を折り畳んで、前記帯の垂れと前記帯の手の間に三角形状の折り畳み部を形成し、
前記折り畳み部の一部分であって前記帯の垂れで帯結びを形成した際に前記帯結びにより隠れる部分を、前記第１および第２シート片の間に挟んで前記保護シート付きクリップで留め、
前記帯の垂れで帯結びを形成し、
前記保護シート付きクリップを前記帯の折り畳み部の前記部分に残存させたままで、前記帯結びの形成された帯を着物の着用者に装着する、
方法。
【請求項２】
前記保護シートは、紙からなる、請求項１に記載の方法。
【請求項３】
前記保護シートは、さらに、前記第１シート片とで前記第１挟持片を挟む第３シート片、および、前記第２シート片とで前記第２挟持片を挟む第４シート片を含む、請求項１または２に記載の方法。
【請求項４】
第１挟持片、第２挟持片並びに前記第１および第２挟持片の一端どうしを連結する弾性変形可能な連結部を含み、自然状態で前記第１挟持片、前記第２挟持片および前記連結部が略同じ平面内に位置するクリップと、前記第１および第２挟持片に挟まれた第１および第２シート片を含む保護シートとを備える保護シート付きクリップ。
【請求項５】
前記保護シートは、紙からなる、請求項４に記載の保護シート付きクリップ。
【請求項６】
前記保護シートは、さらに、前記第１シート片とで前記第１挟持片を挟む第３シート片、および、前記第２シート片とで前記第２挟持片を挟む第４シート片を含む、請求項４または５に記載の保護シート付きクリップ。
【発明の詳細な説明】
【技術分野】
【０００１】
本発明は、和服等の着物の帯を簡易的に装着する方法に関する。
【背景技術】
【０００２】
着物の帯を簡易的に装着する方法として、お太鼓をあらかじめ形成してから帯を身体に巻く方法がある。例えば、特許文献１は、手（テ）を横にして帯を置き、垂れ（タレ）を手に対して垂直に折り曲げ、その手を折り返して長さを調節し、垂れでお太鼓を形成してから、背中にお太鼓を背負い、手を身体に巻くという手順を開示している（明細書段落００２７〜００３３参照）。特許文献１は、さらに、帯でお太鼓を形成する際に帯を固定するため、または、身体に巻いた手をお太鼓の中で固定するために、クリップまたは洗濯バサミを利用することを開示している（同段落参照）。クリップを利用して手をお太鼓の中で固定する場合、このクリップは、着物の着用中、お太鼓の中に残存したままとなる。
【０００３】
一般に、着物の着付けに利用されるクリップとして、着物クリップまたは和装クリップと称されるレバー式のクリップが市販されている。レバー式のクリップとは、２枚の対向する挟持片の先端どうしがバネ仕掛けにより閉じるようにされたものである。挟持片の後端どうしをバネ力に抗じて摘むと、挟持片の先端どうしが開き、物を挟める状態となる。
【先行技術文献】
【特許文献】
【０００４】
【特許文献１】特開２０１４−８０６９９号公報
【発明の概要】
【発明が解決しようとする課題】
【０００５】
着物の着用者が椅子に着座する場合、通常、お太鼓の形状をくずさないよう椅子に浅く腰かけて、椅子の背もたれに体重をあずけないように努める。この場合、お太鼓の中にクリップを残存させたままでも、クリップが着物の着用者に違和感を与えることはない。しかしながら、例えば、着席または起立の際、あるいは、列車または自動車など不意に揺れる乗り物の椅子に着座している際など、意図せず椅子の背もたれに体重をかけてしまうことがある。また、車椅子の利用者が着物を着用することもあるが、そもそも多くの車椅子の利用者にとっては、背もたれに体重をあずけない体勢をとるのが困難である。このように椅子の背もたれに体重がかかる場合、お太鼓の中のクリップが着物の着用者の背中を圧迫し、着物の着用者に不快感を与えてしまう。また、車椅子の利用者の中には、病態によっては、背中の感覚が麻痺した者もいる。背中の感覚が麻痺している場合、クリップが背中を圧迫していてもそのことに気付きにくく、褥瘡の原因となることも考えられる。レバー式のクリップは、その構造上、嵩高いため、背中の圧迫を引き起こしやすい。
【０００６】
また、着物の帯は、世代間で引き継がれたもの、または、引き継ぐ予定のものも多いので、帯の生地の損傷は極力回避したい。しかしながら、帯をクリップで留めると、帯のクリップで挟まれる箇所が損傷しやすくなる。
【０００７】
本発明は、帯をクリップで留めるという簡易的な帯の装着方法を採用しながらも、クリップによる背中への圧迫および帯のクリップで挟まれる箇所の損傷を軽減する方法を提供する。
【課題を解決するための手段】
【０００８】
本発明の一実施形態に係る着物の帯を装着する方法は、次の手順を含む。
【０００９】
第１挟持片、第２挟持片並びに前記第１および第２挟持片の一端どうしを連結する弾性変形可能な連結部を含み、自然状態で前記第１挟持片、前記第２挟持片および前記連結部が略同じ平面内に位置するクリップと、前記第１および第２挟持片に挟まれた第１および第２シート片を含む保護シートとを備える保護シート付きクリップを準備する。
【００１０】
帯の垂れが帯の手に対して垂直になるよう帯を折り畳んで、前記帯の垂れと前記帯の手の間に三角形状の折り畳み部を形成する。
【００１１】
前記折り畳み部の一部分であって前記帯の垂れで帯結びを形成した際に前記帯結びにより隠れる部分を、前記第１および第２シート片の間に挟んで前記保護シート付きクリップで留める。
【００１２】
前記帯の垂れで帯結びを形成する。
【００１３】
前記保護シート付きクリップを前記帯の折り畳み部の前記部分に残存させたままで、前記帯結びの形成された帯を着物の着用者に装着する。
【発明の効果】
【００１４】
帯はある程度の張りを有するので、帯の折り畳み部は自然に開こうとする。上記方法は、帯の折り畳み部をクリップで留めるので、折り畳み部の形状を固定でき、その後の工程を容易に実施できる。また、上記クリップの第１挟持片、第２挟持片および連結部は、自然状態で略同じ平面内に位置する。これによりレバー式のクリップに比べて嵩を低くすることができ、クリップによる背中への圧迫を軽減することができる。さらに、上記クリップで帯を留める際には、帯は保護シートの第１および第２シート片の間に挟まれるので帯のクリップで挟まれる箇所の損傷を軽減することができる。
【図面の簡単な説明】
【００１５】
【図１】帯の装着に供される保護シート付きクリップの一例を示す斜視図である。
【図２】保護シートを展開した状態の保護シート付きクリップの斜視図である。
【図３】帯の装着の手順の一例を示す図である。
【図４】帯の装着の手順の一例を示す図である。
【図５】帯の装着に供される保護シート付きクリップの別の例を示す斜視図である。
【図６】帯の装着に供される保護シート付きクリップのさらに別の例を示す斜視図である。
【発明を実施するための形態】
【００１６】
まず、帯の装着に供される保護シート付きクリップを説明し、次に、帯の装着の手順を説明する。
【００１７】
（１）保護シート付きクリップ
【００１８】
図１および図２に示される通り、保護シート付きクリップ１０は、クリップ２０および保護シート３０を含む。
【００１９】
クリップ２０は、第１挟持片２１、第２挟持片２２および連結部２３を含む。図１（ｂ）に示される通り、第１挟持片２１は、平行に並んだ２本の線状体２１ａ、２１ｂを含む。同様に、第２挟持片２２は、平行に並んだ２本の線状体２２ａ、２２ｂを含む。連結部２３は、第１挟持片２１の一端２１ｃと第２挟持片２２の一端２２ｃを連結する。
【００２０】
第１挟持片２１、第２挟持片２２および連結部２３は、自然状態では略同じ平面内に位置する。第１挟持片２１および第２挟持片２２に外力を印加すると連結部２３が弾性変形し、第１挟持片２１および第２挟持片２２の他端２１ｄ、２２ｄどうしが開いて物を挟める状態となる。ここで、自然状態とは、第１挟持片２１および第２挟持片２２に外力が印加されていない状態をいう。また、略同じ平面内に位置するとは、第１挟持片２１の位置する平面と第２挟持片２２の位置する平面が厳密に同じであることのみならず、加工精度の範囲内で多少ずれることを許容する意図である。
【００２１】
クリップ２０の素材としては、金属または樹脂を利用することができる。金属の場合、例えば、一本の細長い金属線を屈曲または湾曲させることで作製できる。樹脂の場合、例えば、金型に樹脂を流し込むことで作製できる。第１挟持片２１および第２挟持片２２の素材と連結部２３の素材とが異なっていてもよい。また金属製の心材に樹脂製の被覆材を配したものでもよい。
【００２２】
クリップ２０のサイズは、例えば、全長が５０ｍｍ乃至１００ｍｍ、全幅が５ｍｍ乃至３０ｍｍ、厚みが０．５ｍｍ乃至２．５ｍｍである。クリップ２０の厚みは、全長および全幅よりも小さい。
【００２３】
図１（ａ）および図２に示される通り、保護シート３０は、第１シート片３１および第２シート片３２を含む。第１シート片３１および第２シート片３２は、クリップ２０の第１挟持片２１および第２挟持片２２の間に挟まれており、第１シート片３１が第１挟持片２１に接し、第２シート片３２が第２挟持片２２に接している。第１シート片３１および第２シート片３２は、保護シート付きクリップ１０で帯を留めた際に第１挟持片２１および第２挟持片２２が直接帯に接触することを防止する。第１挟持片２１および第２挟持片２２が直接帯に接触する場合、第１挟持片２１および第２挟持片２２の各線状体２１ａ、２１ｂ、２２ａ、２２ｂが帯に線接触することになる。そうすると帯を局所的に圧縮することとなり、帯の生地を傷めやすい。また、帯を留めていたクリップ２０を取り外す際は、第１挟持片２１および第２挟持片２２の間に帯を挟んだ状態でクリップ２０をスライドさせることになる。このとき、線状体２１ａおよび線状体２２ｂの末端２１ｅ、２２ｅが帯の生地を引掻くおそれがある。第１シート片３１を第１挟持片２１と帯の間に置き、第２シート片３２を第２挟持片２２と帯の間に置くことで、帯の局所的な圧縮を軽減することができ、また、線状体２１ａおよび線状体２２ｂの末端２１ｅ、２２ｅが帯の生地を引掻くことを防止できる。その結果、帯のクリップで挟まれる箇所の損傷を軽減することができる。
【００２４】
保護シート３０は、さらに、第３シート片３３および第４シート片３４を含む。第３シート片３３は、第１シート片３１とで第１挟持片２１を挟んでいる。第４シート片３４は、第２シート片３２とで第２挟持片２２を挟んでいる。つまり、クリップ２０の内面は、第１および第２シート片３１、３２で被覆され、クリップ２０の外面は、第３および第４シート片３３、３４で被覆されている。後述の通り、帯を装着した際に、保護シート付きクリップ１０は折り重ねられた帯の中に位置することとなり、保護シート付きクリップ１０の外面も帯に接触することになる。第３および第４シート片３３、３４の存在により、保護シート付きクリップ１０の外面に接触する帯の箇所の損傷を軽減することができる。
【００２５】
保護シート３０は、例えば、図２に示される通り、一枚のシートを折り畳んで形成することができる。この例では、第４シート片３４の一部３４ａ、第３シート片３３、第１シート片３１、第２シート片３２、第４シート片３４の一部３４ｂがこの順に並んだ一枚のシートとなっている。第４シート片３４の一部３４ａと一部３４ｂは、必要に応じて糊などの接着剤で接着される。このように、一枚のシートで形成することにより、保護シート付きクリップ１０を容易に作製することができる。ただし、これに限らず、別個に切り離された各シート片を準備してそれらをクリップ２０に固定することとしてもよい。
【００２６】
保護シート３０の素材としては、紙、布または樹脂を利用することができる。紙は、和紙および洋紙を含む。和紙は、日本古来の伝統的な原料および製法を採用した狭義の和紙のみならず、原料および製法の一方または両方を改変して和紙風の紙とした広義の和紙も含む。布は、織物、編物および不織布を含む。樹脂は、天然樹脂および合成樹脂を含む。合成樹脂としては、例えば、ポリエチレン、ポリプロピレン、ポリ塩化ビニル、ポリスチレンを利用できる。着物の着用者またはその補助者が保護シート付きクリップ１０を作製する場合、加工容易性および入手容易性を確保することが好ましい。このような観点では、保護シート３０の素材としては、紙または布が好ましい。また、保護シート３０は、保護シート付きクリップ１０を帯に取り付ける際および帯から取り外す際には適切な摺動性を発揮し、保護シート付きクリップ１０で帯を留めている最中には適切な制動性を発揮することが好ましい。このような観点では、保護シート３０の素材としては、紙が好ましい。
【００２７】
（２）帯の装着の手順
【００２８】
本発明の一実施形態に係る着物の帯を装着する方法は、次の手順を含む。なお、１乃至５の番号は、順序の先後を規定するものではなく、適宜順序を入れ替えても構わない。
【００２９】
１．保護シート付きクリップを準備する。
２．帯の垂れと帯の手の間に三角形状の折り畳み部を形成する。
３．折り畳み部の部分を保護シート付きクリップで留める。
４．帯の垂れで帯結びを形成する。
５．帯結びの形成された帯を着物の着用者に装着する。
【００３０】
以下、図３および図４を参照して帯の装着の手順の一例を説明する。
【００３１】
まず、保護シート付きクリップ１０を準備する。保護シート付きクリップ１０の構造は、既に説明した通りである。ここで、準備とは、製作、および、製作されたものの有償または無償による譲り受けを含む。
【００３２】
次に、図３（ａ）に示される通り、畳、床またはテーブルのような水平面上に帯４０を置き、垂れ４２が手４１に対して垂直になるように帯４０を折り畳んで、垂れ４２と手４１の間に三角形状の折り畳み部４３を形成する。手４１は、帯４０の半幅に折り畳まれる。帯４０は、名古屋帯および袋帯の何れでもよい。
【００３３】
次に、図３（ａ）および図３（ｂ）に示される通り、折り畳み部４３において３重に折り重ねられて帯の端縁の３箇所が揃えられた部分４３ａを保護シート付きクリップ１０で留める。このとき、帯の折り畳み部４３は、保護シート付きクリップ１０の第１シート片３１および第２シート片３２の間に挟まれるので、帯４０の局所的な圧縮を軽減することができる。また、帯４０はある程度の張りを有するため、折り畳み部４３は自然に開こうとする。折り畳み部４３を保護シート付きクリップ１０で留めることで、折り畳み部４３の形状を固定でき、その後の工程を容易に実施できる。
【００３４】
上記の部分４３ａは、折り畳み部４３の自然な開きを効率的に防止し、かつ、保護シート付きクリップ１０を隠しやすくする観点で好ましい。ただし、保護シート付きクリップ１０で留める部分は、折り畳み部４３の一部分であって、帯結びにより隠れる部分であれば、どこでも構わない。例えば、上記部分４３ａは、二等辺三角形の底辺に位置するが、これに限らず、二等辺三角形の２つの等辺を留めることとしてもよく、２つの等辺の交点である頂点を留めることとしてもよい。
【００３５】
次に、図４（ａ）に示される通り、手４１を折り返して二つ折り部分４４を形成する。このとき、二つ折りされた手４１の長さは、着物の着用者の胴回りの長さに調整される。なお、帯によっては手４１に絵柄が現れるものがある。この絵柄が着物の着用者の身体の適切な位置にくるように、手４１を折り畳み部４３の上で折り畳んで絵柄の位置を調整してもよい。このとき、折り畳み部４３上で折り畳まれた手の部分を、保護シート付きクリップ１０で折り畳み部４３と一緒に留めるようにしてもよい。また、二つ折りされた手４１の手先が垂れ４２を通り越して垂れ４２の右側にくることがある。この手先４１をさらに折り返して、折り畳み部４３上に重ねることとしてもよい。このとき、折り畳み部４３上に重ねられた手先を、保護シート付きクリップ１０で折り畳み部４３と一緒に留めるようにしてもよい。
【００３６】
次に、図４（ａ）および図４（ｂ）に示される通り、垂れ４２で帯結びを形成する。帯結びは、お太鼓結び、文庫結び、ふくら雀結び、立て矢結び、それらから派生した変わり結びなどを含む。その後、帯結びの中に帯揚げ５１および帯締め５２を通す。帯揚げ５１は、帯枕を被覆している。帯枕は、通常利用されるものでもよく、また、着物の着用者が椅子の背もたれに体重をあずけた場合に着用者の背中を圧迫するのを回避するために、スポンジなどの弾性体を利用してもよい。
【００３７】
次に、保護シート付きクリップ１０を帯の折り畳み部４３に残存させたままで、帯結びの形成された垂れ４２を着物の着用者の背中に配し、二つ折りされた手４１を着物の着用者の身体に巻いて、帯４０を着物の着用者に装着する。手４１を身体に巻いた際に、二つ折り部分４４は着物の着用者の背中に達することになる。このとき、背中に達した二つ折り部分４４を、保護シート付きクリップ１０で折り畳み部４３と一緒に留めるようにしてもよい。
【００３８】
最後に、帯揚げ５１および帯締め５２を適切に装着する。
【００３９】
上述の通り、クリップ２０の第１挟持片２１、第２挟持片２２および連結部２３は、自然状態で略同じ平面内に位置する。これにより、レバー式のクリップに比べて嵩を低くすることができ、着物の着用者が椅子の背もたれに体重をあずけた場合の保護シート付きクリップ１０による背中への圧迫を軽減することができる。
【００４０】
なお、上記の例では、保護シート付きクリップ１０で折り畳み部４３の３枚の帯をまとめて留めているが、このうちの２枚の帯だけを留めることとしてもよい。
【００４１】
また、上記の手順はあくまで一例であり、これに限られず、各工程の順序を入れ替えたり、帯の手の処理方法を上記とは異ならせたりしてもよい。何れにしても、三角形状の折り畳み部４３が形成されるので、この折り畳み部４３をクリップで留めるようにすれば、折り畳み部４３の形状を固定することができ、その後の工程を容易に実施することができる。
【００４２】
（３）保護シート付きクリップの変形例
【００４３】
上述の通り、図１および図２を参照して保護シート付きクリップの一例を説明したが、これに限られない。例えば、次のような例でも構わない。
【００４４】
図５に示された保護シート付きクリップ１１は、皺３６を有する保護シート３５を採用している。保護シート３５の素材としては、例えば、和紙または洋紙などの紙を利用することができる。皺３６による凹凸の高さは保護シート３５の厚みよりも大きい。皺３６の存在により、保護シート３５と帯との間の摩擦力を高めることができる。なお、皺３６の方向は、保護シート付きクリップ１１で帯を留める際に帯をスライドさせる方向に平行でもよいし、直交または斜交していてもよい。
【００４５】
図６に示された保護シート付きクリップ１２は、板状のクリップ６０を採用している。クリップ６０は、第１挟持片６１、第２挟持片６２および連結部６３を含む。図６（ｂ）に示される通り、第１挟持片６１は、一枚の板状体からなる。第２挟持片６２は、第１挟持片６１の周りを囲む環状の１枚の板状体からなる。連結部６３は、第１挟持片６１の一端６１ｃと第２挟持片６２の一端６２ｃを連結する。
【００４６】
クリップ６０の素材としては、金属または樹脂を利用することができる。金属の場合、例えば、一枚の金属板を打ち抜き加工することで作製できる。樹脂の場合、例えば、金型に樹脂を流し込むことで作製できる。
【００４７】
なお、図６の例では、クリップ６０は、三角形であるが、これに限らず、四角形、五角形などの多角形でもよく、円形、楕円形、長円形でもよく、それらを組み合わせた形でもよい。また、図６の例では、クリップ６０が三角形で保護シート３０が四角形というように互いの形状が異なっているが、これに限らず、互いの形状が同一であることとしてもよい。
【産業上の利用可能性】
【００４８】
本発明は、和服等の着物の帯を簡易的に装着する方法に利用可能である。
【符号の説明】
【００４９】
１０、１１、１２         保護シート付きクリップ
２０、６０                     クリップ
２１、６１                     第１挟持片
２２、６２                     第２挟持片
２３、６３                     連結部
２１ｃ、６１ｃ             第１挟持片の一端
２２ｃ、６２ｃ             第２挟持片の一端
３０、３５              保護シート
３１                               第１シート片
３２                               第２シート片
３３                               第３シート片
３４                               第４シート片
４０                               帯
４１                               帯の手
４２                               帯の垂れ
４３                               帯の折り畳み部
５１                               帯揚げ
５２                               帯締め
【図１】
2017193800.tif 000003
【図２】
2017193800.tif 000004
【図３】
2017193800.tif 000005
【図４】
2017193800.tif 000006
【図５】
2017193800.tif 000007
【図６】
2017193800.tif 000008
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
着物の帯を装着する方法であって、
第１挟持片、第２挟持片並びに前記第１および第２挟持片の一端どうしを連結する弾性変形可能な連結部を含み、自然状態で前記第１挟持片、前記第２挟持片および前記連結部が略同じ平面内に位置するクリップと、前記第１および第２挟持片に挟まれた第１および第２シート片を含む保護シートとを備える保護シート付きクリップを準備し、
帯の垂れが帯の手に対して垂直になるよう帯を折り畳んで、前記帯の垂れと前記帯の手の間に三角形状の折り畳み部を形成し、
前記折り畳み部の一部分であって前記帯の垂れで帯結びを形成した際に前記帯結びにより隠れる部分を、前記第１および第２シート片の間に挟んで前記保護シート付きクリップで留め、
前記帯の垂れで帯結びを形成し、
前記保護シート付きクリップを前記帯の折り畳み部の前記部分に残存させたままで、前記帯結びの形成された帯を着物の着用者に装着する、
方法。
【請求項２】
前記保護シートは、紙からなる、請求項１に記載の方法。
【請求項３】
前記保護シートは、さらに、前記第１シート片とで前記第１挟持片を挟む第３シート片、および、前記第２シート片とで前記第２挟持片を挟む第４シート片を含む、請求項１または２に記載の方法。
【請求項４】
前記保護シートは、皺を有し、前記皺による凹凸の高さは、前記保護シートの厚みよりも大きい、請求項１から３のいずれかに記載の方法。